(57)【要約】      （修正有）【課題】目詰まりの発生を抑えると共に目詰まりの清掃が容易かつ迅速に行えるネットフィルタを提供する。【解決手段】被洗濯物を収納して攪拌させる洗濯乾燥機のドラム室からの空気が流れる流路に設けられる異物捕集用のネットフィルタに於て、網目を形成する樹脂製糸52ａの表面に金属皮膜部52ｂを有する構造とすることで、人の皮脂た油、塵埃による目詰まりを抑制し、また、目詰まり原因物質を容易に除去できるので、清掃作業時間や手間を削減できる。【選択図】図３
2014161445.tif 000002
【特許請求の範囲】
【請求項１】
被洗濯物を収納して攪拌させる洗濯乾燥機（１）のドラム室（10）からの空気が流れる流路（３）に設けられる異物捕集用のネットフィルタに於て、
網目を形成する樹脂製糸（52ａ）の表面に金属皮膜部（52ｂ）を有することを特徴とするネットフィルタ。
【請求項２】
被洗濯物を収納して攪拌させるドラム室（10）からの空気が流れる流路（３）に設けられる異物捕集用のネットフィルタ（52）を備えた洗濯乾燥機用フィルタ構造に於て、
上記ネットフィルタ（52）は、網目を形成する樹脂製糸（52ａ）の表面に金属皮膜部（52ｂ）を有することを特徴とする洗濯乾燥機用フィルタ構造。
【請求項３】
上記ネットフィルタ（52）を、樹脂製枠部材（51）の成型の際に成型金型（８）内にインサートして、該樹脂製枠部材（51）と上記ネットフィルタ（52）とは一体化されている請求項２記載の洗濯乾燥機用フィルタ構造。
【発明の詳細な説明】
【技術分野】
【０００１】
本発明は、ネットフィルタ及び洗濯乾燥機用フィルタ構造に関する。
【背景技術】
【０００２】
従来、洗濯乾燥機には、被洗濯物を収納して攪拌させるドラム室からの空気が流れる流路に、糸屑や綿屑といったリント（リンタ）や塵埃等の異物を捕集するネットフィルタを備えていた（例えば、特許文献１参照）。
【先行技術文献】
【特許文献】
【０００３】
【特許文献１】特開２０１０−１９３９５０号公報
【発明の概要】
【発明が解決しようとする課題】
【０００４】
ネットフィルタは、人の皮脂や油、塵埃が網目を塞いでしまうため、定期的に目詰まりを清掃する必要があったが、従来のネットフィルタは、人の皮脂や油、塵埃が強く固着し、容易に清掃できないという問題があった。
【０００５】
そこで、本発明は、目詰まりの発生を抑えると共に目詰まりの清掃が容易かつ迅速に行えるネットフィルタ及び洗濯乾燥機用フィルタ構造の提供を目的とする。
【課題を解決するための手段】
【０００６】
上記目的を達成するために、本発明のネットフィルタは、被洗濯物を収納して攪拌させる洗濯乾燥機のドラム室からの空気が流れる流路に設けられる異物捕集用のネットフィルタに於て、網目を形成する樹脂製糸の表面に金属皮膜部を有するものである。
【０００７】
また、本発明の洗濯乾燥機用フィルタ構造は、被洗濯物を収納して攪拌させるドラム室からの空気が流れる流路に設けられる異物捕集用のネットフィルタを備えた洗濯乾燥機用フィルタ構造に於て、上記ネットフィルタは、網目を形成する樹脂製糸の表面に金属皮膜部を有する構造である。
また、上記ネットフィルタを、樹脂製枠部材の成型の際に成型金型内にインサートして、該樹脂製枠部材と上記ネットフィルタとは一体化されている構造である。
【発明の効果】
【０００８】
本発明によれば、十分な異物捕集能力を有しながらも、人の皮脂や油、塵埃による目詰まりの発生を抑制できる。また、目詰まりが発生しても、目詰まり原因物質を容易に除去（剥離）でき、清掃作業時間や手間を大幅に削減でき、使い勝手の良い洗濯乾燥機を得ることができる。網目が狭くても（開口が小さくても）、容易かつスムーズに目詰まり原因物質を除去できる。
【図面の簡単な説明】
【０００９】
【図１】本発明に係るネットフィルタ及び洗濯乾燥機用フィルタ構造が適用される洗濯乾燥機の一例を示す簡略構造図である。
【図２】本発明に係るネットフィルタ及び洗濯乾燥機用フィルタ構造が適用される洗濯乾燥機の一例を示す要部破断斜視図である。
【図３】ネットフィルタの実施形態を示す要部拡大端面図である。
【図４】ネットフィルタの他の実施形態を示す要部拡大端面図である。
【図５】洗濯乾燥機用フィルタ構造の実施形態を示す断面側面図である。
【図６】図５のＡ方向矢視図である。
【図７】インサート成型を説明するための断面図である。
【図８】洗濯乾燥機用フィルタ構造の実施形態を示す横断面図である。
【図９】インサート成型の問題点を説明するための横断面図である
【図１０】図９のＢ方向矢視図である。
【発明を実施するための形態】
【００１０】
以下、図示の実施形態に基づき本発明を詳説する。
本発明に係るネットフィルタ及び洗濯乾燥機用フィルタ構造は、図１及び図２に示すように、被洗濯物を収納して攪拌させるドラム11と、ドラム11の外周を包囲する水槽12と、を備えたドラム室10に連通して、そのドラム室10からの空気が流れる流路３を備えたドラム式の洗濯乾燥機１に適用される。
【００１１】
先ず、本発明に係るネットフィルタ52は、流路３内に設けられ、流路３の入口３ａから流入した空気に混入している糸屑や綿屑といったリント（リンタ）や塵埃等の異物を捕集するものである。
【００１２】
図３に示すように、ネットフィルタ52は、網目を形成する樹脂製糸52ａを有し、さらに、樹脂製糸52ａの表面に金属皮膜部52ｂを有している。
ネットフィルタ52は、ポリプロピレンやポリエステル等のモノフィラメント（単繊維）の樹脂製糸52ａを格子状に平織りしてシート状に形成されている。
なお、押出しにてネット状に形成しても良く、ハニカム織りでも良い。また、樹脂製糸52ａ同士の交点を結合（接着又は溶着）させても良い。網目の形状は、長方形状、正方形状、菱形、六角形や八角形等の多角形状等自由である。
【００１３】
また、金属皮膜部52ｂは、樹脂製糸52ａの表面全周を覆うような被覆層状に設けている。或いは、図４に示すように、流路３の空気流れの上流側に対応する樹脂製糸52ａの上流側の表面にのみ、横断面円弧膜状に設けても良い。
【００１４】
金属皮膜部52ｂの材質は、防錆性に優れたものが好ましく、例えば、ステンレスや、ニッケルと銅の合金（モネル）、金、銀、銅、チタン、ニッケル等である。
また、金属皮膜部52ｂは、スパッタ装置等を用いたスパッタリング加工（法）、或いは、蒸着加工（真空蒸着法）によって成膜するのが、容易かつ迅速に加工できて好ましい。
【００１５】
次に、本発明に係る洗濯乾燥機用フィルタ構造は、図１及び図２に示すように、上述のネットフィルタ52と、ネットフィルタ52に張りを付与するように保持する樹脂製枠部材51と、を備えている。
より具体的には、流路３から着脱自在に設けられるケース型の異物捕集器５と、異物捕集器５近傍の下流側の流路３内に固設される固定異物捕集部50とに、適用している。
【００１６】
図５及び図６に示すように、異物捕集器５の樹脂製枠部材51はネットフィルタ52の網目よりも大きい開口部を有する格子状部55を有している。
樹脂製枠部材51は、ポリプロピレン、ポリエチレン、ＡＢＳ樹脂等のプラスチック樹脂材料を、金型で成型した、樹脂成型品である。
【００１７】
そして、樹脂製枠部材51の成型の際に、図７に示すように、成型金型８内に、予め作成したネットフィルタ52をインサートして、上述のプラスチック樹脂材料を溶融させて流入・固化させ、図８に示すように、格子状部55の上流側面（異物捕集器５の内面）55ａと、ネットフィルタ52とが、一体化するように成型している。
格子状部55は、流路３内の風圧（風速）によって、弯曲変形しない強度を有するように形成されている。
【００１８】
なお、成型金型８は、格子状部55の縦杆部55ｃ成型するための縦溝81ｃと、横杆部55ｄを成型するための横溝81ｄと、が設けられた第１金型81と、インサートされたネットフィルタ52を介して、第１金型81と対面状に配設されるネットフィルタ押さえ面82ａを有する第２金型82とを備えている。
そして、図示省略するが、第２金型82において、ネットフィルタ52を介して横溝81ｄと対面状となる部位に補強用凹溝部を設けて、その補強用凹溝部を流れた樹脂によって、第１金型81側と第２金型82側から樹脂で挟むようにして、横杆部55ｄと、ネットフィルタ52における横杆部55ｄ対応部位とが、（他の部位に比べて多くの）樹脂で強く一体化するようにして、成型後のネットフィルタ52の剥離を防止するように構成するも良い。つまり、ネットフィルタ52を、横杆部55ｄと、補強用凹溝によって成型される補強凸条部と、によってネットフィルタ52を挟むように一体化しても良い。
【００１９】
また、図１及び図２に示した固定異物捕集部50の樹脂製枠部材51は、異物捕集器５と同様に、格子状部55を有し、ネットフィルタ52を、樹脂製枠部材51の成型の際に成型金型８内にインサートして、樹脂製枠部材51とネットフィルタ52とを一体化している。
また、固定異物捕集部50の樹脂製枠部材51は、流路３の一部を構成するダクト部材30と一体樹脂成型されて、流路３に固設される。或いは、ダクト部材30に溶着や接着等の固着手段により固設される。
【００２０】
次に、本発明のネットフィルタ及び洗濯乾燥機用フィルタ構造の使用方法（作用）について説明する。
ステンレスから成る金属皮膜部52ｂを有するネットフィルタ52を実施例とし、金属皮膜部52ｂを有していない樹脂製糸52ａのみのネットフィルタを第１の比較例及び第２の比較例として、塵離れ性の検証を行った。実施例及び比較例は、直径２００ｍｍの円板形状とした。
【００２１】
先ず、試験粉体（ＪＩＳ  Ｚ  ８９０１  試験用粉体及び試験用粒子のＪＩＳ試験用粉体１の１５種  混合ダスト）を、２０ｃｍ／ｓの通過風速にて、１０ｇ捕集させる。捕集後の実施例及び比較例を、高さ３０ｃｍから水平面状姿勢で落下させ、捕集後の初期重量と落下後重量の差から塵離れ性を確認した。結果を下記表１に示す。
【００２２】
【表１】
2014161445.tif 000003
【００２３】
上記表１から明らかなように、実施例は、比較例と比べて、約１.７倍〜２倍程度、試験用粉体が多く離れた。つまり、試験用粉体の残存量は、比較例の約２２％〜２５％と少なかった。従って、金属皮膜部52ｂを有する実施例は塵離れ性（剥離性）が優れているといえる。
また、金属皮膜部52ｂがニッケルと銅の合金（モネル）等の金属であっても同様に優れた塵離れ性を有するという結果が得られた。
【００２４】
また、実際に洗濯乾燥機１の流路３に実施例と比較例を設けて試験を行った。
流路３を流れる空気や粉塵には、肌着やＴシャツに付着していた人の皮脂や油（食油）、塵埃、洗剤油（ヤシ油やパーム油等）といった油分や、洗剤の化学成分が、含まれるが、このような、成分がネットフィルタ52に付着後、固化して目詰まりを発生させる。
比較例のネットフィルタは、樹脂製糸52ａに、上記の油分や化学成分等の目詰まり発生物質が直接的に強く固着し、清掃（剥離や除去）が非常に困難であった。また、ブラシ等を用いて強い力で擦ると、網目の潰れや破損が発生することがあった。
実施例は、（比較例に比べて）人の皮脂や油、塵埃等による目詰まりが発生しにくく、また、目詰まりが発生した後の清掃が容易で、ブラシ等で軽く擦るだけで直ぐに目詰まりが解消できた。なお、実施例及び比較例とも、ネットフィルタ52よりも下流側に配設される後述の送風手段14等の故障の原因となる糸屑や綿屑といったリント（リンタ）や塵埃等の異物は確実に捕集できていた。
【００２５】
また、図７に示したようなインサート成型の際に、第１金型81と第２金型82を締め付ける（押さえる）力が弱いと、溶融した樹脂材料がネットフィルタ52に沿って流れ、図９及び図10に示すように、縦杆部55ｃや横杆部55ｄから格子開口側へはみ出してバリ90が発生する。そこで、第１金型81と第２金型82を高圧で締め付ける（ネットフィルタ52を押さえる）必要がある。また、樹脂材料の流れを良くするために高温にする必要がある。
しかし、高温・高圧で成型すると、ネットフィルタ52の樹脂製糸52ａの断面形状が円形から扁平状になるように変形して、網目の開口（寸法）が小さくなる部位が発生する。
【００２６】
本発明に係るネットフィルタ52は、このような開口が小さくなった部位においても、皮脂や油、洗剤や洗剤油等（目詰まり原因物質）による目詰まりが、金属皮膜部52ｂを有していない比較例のネットフィルタに比べて発生しにくく、目詰まりした場合も、目詰まり原因物質を容易に剥離できた。
即ち、金属皮膜部52ｂを有することで、バリ90の発生を防止可能な高圧、かつ、溶融樹脂が流れやすい高温で、（網目が狭くなることを気にすることなく）金型成型でき、バリ90や巣等の不具合が形成された不良品の発生を減少させ、生産効率の向上にも貢献する。
【００２７】
なお、図１及び図２において、流路３は、ドラム室10内の空気を吸い込むための入口３ａと、吸い込んだ空気をドラム室10内に戻すための出口３ｂと、を有する循環型である。
流路３には、湿気を含んだ空気を除湿するための散水結露式等の除湿用熱交換手段13と、空気を吸い込むためのブロワ等の送風手段14と、除湿した空気を加熱するためのヒータ等の加熱手段15とが設けられている。
つまり、洗濯乾燥機１は、乾燥工程において、ドラム室10内から湿気や異物を含んだ空気を、送風手段14によって流路３の入口３ａから吸い込んで、ネットフィルタ52で異物を捕集し、異物が除去された空気を除湿用熱交換手段13で除湿し、除湿後の空気を加熱手段で加熱して、吸い込んだ空気を温風としてドラム室10内に戻して、被洗濯物を乾燥するように構成している。
【００２８】
なお、本発明は、設計変更可能であって、また、図１及び図２において、ネットフィルタ52は、除湿用熱交換手段13と送風手段14の間に設けても良い。また、本発明が適用される流路３は、ドラム室10内の空気を、洗濯乾燥機１の外部へ排出するように設けたものであっても良い。
【００２９】
以上のように本発明のネットフィルタは、被洗濯物を収納して攪拌させる洗濯乾燥機１のドラム室10からの空気が流れる流路３に設けられる異物捕集用のネットフィルタに於て、網目を形成する樹脂製糸52ａの表面に金属皮膜部52ｂを有するので、十分な異物捕集能力を有しながらも、人の皮脂や油、塵埃、洗剤や洗剤油による目詰まりの発生を抑制できる。また、目詰まりが発生しても、目詰まり原因物質を容易に除去（剥離）でき、清掃作業時間や手間を大幅に削減でき、使い勝手の良い洗濯乾燥機を得ることができる。網目の狭い箇所があっても（開口が小さくても）、容易かつスムーズに目詰まり原因物質を除去できる。また、樹脂製枠部材51の成型金型８へのインサートに好適で、生産効率を向上できる。
【００３０】
また、本発明の洗濯乾燥機用フィルタ構造は、被洗濯物を収納して攪拌させるドラム室10からの空気が流れる流路３に設けられる異物捕集用のネットフィルタ52を備えた洗濯乾燥機用フィルタ構造に於て、ネットフィルタ52は、網目を形成する樹脂製糸52ａの表面に金属皮膜部52ｂを有するので、十分な異物捕集能力を有しながらも、人の皮脂や油、塵埃、洗剤や洗剤油による目詰まりの発生を抑制できる。また、目詰まりが発生しても、目詰まり原因物質を容易に除去（剥離）でき、清掃作業時間や手間を大幅に削減でき、使い勝手の良い洗濯乾燥機を得ることができる。網目の狭い箇所があっても（開口が小さくても）、容易かつスムーズに目詰まり原因物質を除去できる。また、樹脂製枠部材51の成型金型８へのインサートに好適で、生産効率を向上できる。
【００３１】
また、ネットフィルタ52を、樹脂製枠部材51の成型の際に成型金型８内にインサートして、樹脂製枠部材51とネットフィルタ52とは一体化されているので、ネットフィルタ52を、樹脂製枠部材51に接着や溶着するような組立時間を大幅に削減でき、生産効率を向上できる。ネットフィルタ52が樹脂製枠部材51から剥がれにくく耐久性が向上する。また、様々な形状の樹脂製枠部材51にネットフィルタ52を容易に一体化できる。
【符号の説明】
【００３２】
１  洗濯乾燥機
３  流路
８  成型金型
10  ドラム室
51  樹脂製枠部材
52  ネットフィルタ
52ａ  樹脂製糸
52ｂ  金属皮膜部
【図１】
2014161445.tif 000004
【図２】
2014161445.tif 000005
【図３】
2014161445.tif 000006
【図４】
2014161445.tif 000007
【図５】
2014161445.tif 000008
【図６】
2014161445.tif 000009
【図７】
2014161445.tif 000010
【図８】
2014161445.tif 000011
【図９】
2014161445.tif 000012
【図１０】
2014161445.tif 000013